(57)【特許請求の範囲】
【請求項１】
２極以上に磁化されたロータ、前記ロータの外周を包囲しているステータ、前記ステータと結合している電磁コイルからなる電磁変換機と、前記電磁コイルを介して外部に磁界によるデータを送信する送信手段と、を備えた電子機器において、前記電磁コイルを介して外部へ磁界によるデータを送信する際、前記ロータの静止位置における前記ロータに生じる磁界の向きにより、前記電磁コイルに生じる磁界が大きくなる方向にデータ信号を前記電磁コイルに送信する送信手段、を備えることを特徴とする電子機器。
【請求項２】
請求項１記載の電子機器において、前記ロータの静止位置における前記ロータから生じる磁界の向きを認識する極性認識手段と、前記電磁コイルに前記認識手段の認識結果により決定される方向に電流が流れるようにデータ信号を前記電磁コイルに送信する送信手段、を備えることを特徴とする電子機器。
【請求項３】
請求項１記載の電子機器において、前記ロータの静止位置における前記ロータから生じる磁界の向きを、機械的又は電気的に外的操作で確定する極性確定手段と、前記電磁コイルに前記極性確定手段により決定される方向に電流が流れるようにデータ信号を前記電磁コイルに送信する送信手段を備えることを特徴とする電子機器。
【請求項４】
請求項１乃至３のうちいずれかに記載の電子機器において、電磁コイルはモータコイル、電磁変換機はステッピングモータであることを特徴とする電子機器。
【請求項５】
請求項２又は４記載の電子機器において、前記極性認識手段として、前記電磁コイルにそれ以前にどちらの向きにモータ駆動パルスを出力したのかを記憶する極性記憶手段を備え、前記電磁コイルに前記記憶手段により決定される方向に電流が流れるように、データ信号を前記電磁コイルに送信する送信手段、を備えることを特徴とする電子機器。
【請求項６】
請求項３又は４記載の電子機器において、前記極性確定手段として、前記電磁コイルに少なくとも１発以上のモータ駆動信号を所定の方向から印加することにより、前記ロータの静止位置における前記ロータから生じる磁界の向きが一定になるように制御する制御手段を備え、前記電磁コイルに所定の方向に電流が流れるようにデータ信号を前記電磁コイルに送信する送信手段、を備えることを特徴とする電子機器。
【請求項７】
請求項４記載の電子機器において、通常間欠駆動をしているモータ駆動信号が出力していない期間にデータ信号を出力し、直前に出力されたモータ駆動信号の方向で定められた向きに前記電磁コイルに電流が流れるようにデータ信号を送信する送信手段を備えることを特徴とする電子機器。
【請求項８】
請求項１乃至７のいずれかに記載の電子機器において、電子機器はアナログ電子時計であることを特徴としているアナログ電子時計。
【請求項９】
２極以上に磁化されたロータ、前記ロータの外周を包囲しているステータ、前記ステータと結合している電磁コイルからなる電磁変換機と、前記電磁コイルを介して外部にデータを送信する送信手段と、を備えた電子機器の制御方法において、前記電磁コイルを介して外部へ磁界によるデータを送信する際、前記ロータの静止位置における前記ロータに生じる磁界の向きにより、前記電磁コイルに所定の方向に電流が流れるようにデータ信号を前記電磁コイルに送信することを特徴とする電子機器の制御方法。
【請求項１０】
請求項９記載の電子機器において、前記ロータの静止位置における前記ロータから生じる磁界の向きを認識する極性認識手段と、前記電磁コイルに前記認識手段の認識結果により決定される方向に電流が流れるようにデータ信号を前記電磁コイルに送信する送信手段、を備えることを特徴とする電子機器の制御方法。
【請求項１１】
請求項９記載の電子機器の制御方法において、前記電磁コイルに付属するロータの静止位置における極性を極性確定手段により外的操作で確定し、前記極性確定手段により決定される方向でデータ信号を前記電磁コイルに送信することを特徴とする電子機器の制御方法。
【請求項１２】
請求項１０記載の電子機器の制御方法において、前記極性認識手段としての極性記憶手段により、前記電磁コイルにそれ以前にどちらの向きにモータ駆動パルスを出力したのかを記憶し、前記電磁コイルに前記記憶手段により決定される方向に電流が流れるように、データ信号を前記電磁コイルに送信することを特徴とする電子機器の制御方法。
【請求項１３】
請求項１１記載の電子機器の制御方法において、前記極性確定手段としての制御手段により、前記電磁コイルに少なくとも１発以上のモータ駆動信号を所定の方向から印加することにより、前記ロータの静止位置における前記ロータから生じる磁界の向きを一定になるように制御する制御手段を備え、前記電磁コイルに所定の方向に電流が流れるようにデータ信号を前記電磁コイルに送信することを特徴とする電子機器の制御方法。
【請求項１４】
請求項９記載の電子機器の制御方法において、通常間欠駆動をしているモータ駆動信号が出力していない期間にデータ信号を出力し、直前に出力されたモータ駆動信号の方向で定められた向きに前記電磁コイルに電流が流れるようにデータ信号を送信することを特徴とする電子機器の制御方法。
【発明の詳細な説明】
【０００１】
【発明の属する技術分野】
本発明は、電子機器、及び電子機器の制御方法に関し、特に多極磁化されたロータを電磁コイルを備えたステータ内で回転駆動可能なステッピングモータと、前記電磁コイルを介して外部にデータを送信する送信手段と、を備えた電子機器に関するものである。
【０００２】
【従来技術】
従来、モータコイルを有する電子時計において、非接触で時計内部のデータを時計外部に出力する手段として、データ送信手段にモータコイル、受信手段に外部調整装置である受信コイルを用いて、電子時計内のロータの磁界の向きに関わらず、モータコイルにロータが回転しない程度の微少パルスを規定の間隔で出力し、微少パルスによりモータコイルに誘起する磁界を外部調整装置を用いて検出していた。これにより微少パルスにより生じる磁界の有無で時計内部のデータを外部に出力するという方法が取られていた。
【０００３】
【発明が解決しようとする課題】
図２、図３は各々の電子時計におけるモータコイルに矩形波を印加した場合のモータコイルに流れる電流波形図とステッピングモータの概要構成図を示している。データ信号によりモータコイル３０３に生じる磁界は、データ送信時のロータ３０１の静止位置における極性とモータコイルに生じる磁界の向きによって大きく変化する。従って、外部調整装置で検出するレベルに大きな違いがあり外部調整装置での磁界を検出する感度を設定するのが難しく、又ノイズ等による誤検出をしてしまう可能性があった。
【０００４】
モータコイル３０３に生じる磁界の強さは図３のステータにおいて、ロータの配置穴とステータ外形部との幅が最も狭くなった磁気飽和領域Ａ３０４及び磁気飽和領域Ｂ３１０が磁界により飽和する時間の速さに依存している。図３の磁気飽和領域Ａ３０４及び磁気飽和領域Ｂ３１０は磁界により飽和するとステータ３０２の透磁率が低くなりモータコイル３０３のインダクタンス成分が小さくなるためモータコイル３０３に流れる電流が急峻に増大する。従ってモータコイル３０３に生じる磁界はモータコイル３０３に流れる電流の時間的変化に依存するため外部調整装置にて容易に検出可能な強い磁界を得ることができる。つまり磁気飽和領域Ａ３０４及び磁気飽和領域Ｂ３１０が飽和をしない間は電流の時間的変化が小さいためモータコイル３０３により生じる磁界は弱く外部調整装置にて磁界を検出する事は難しい。
【０００５】
図３のようにロータ３０１のＮ極が右側を向いている場合、ロータのN極からS極へ磁界が生じる為、ステータの磁気飽和領域Ａ３０４及び磁気飽和領域Ｂ３１０には右から左への磁界が生じる。この状態でモータコイル３０３のＯ１端子３０６から微少なデータ信号２０１を印可するとアンペアの右ネジの法則よりステータ３０２には左回り、磁気飽和領域Ａ３０４及び磁気飽和領域Ｂ３１０には右から左への磁界が生じる。ここで磁気飽和領域Ａ３０４及び磁気飽和領域Ｂ３１０はロータ３０１による磁界とモータコイル３０３による磁界とが共に右から左へと流れる為、磁気飽和領域Ａ３０４及び磁気飽和領域Ｂ３１０はすぐに飽和をする。従って、モータコイル３０３のインダクタンスは短時間で急激に小さくなり、モータコイル３０３に流れる電流２０２は図２の反発パルス電流波形のように急峻に変化するため、モータコイル３０３に生じる磁界は強くなる。以上のようなモータコイルに強い磁界が生じるようにモータコイルに印可するパルスのことを反発パルスと呼ぶ。
【０００６】
ロータ３０１は図３の状態で、Ｏ２端子３０５から微少なデータ信号２０１を印可する場合、ロータ３０１は前記のように磁気飽和領域Ａ３０４及び磁気飽和領域Ｂ３１０に右から左への磁界を与える。しかし、Ｏ２端子３０５から微少なデータ信号を印可すると磁気飽和領域Ａ３０４及び磁気飽和領域Ｂ３１０には左から右への磁界を与える為モータコイル３０３に生じる磁界はロータ３０１の磁界を打ち消し更に磁気飽和領域Ａ３０４及び磁気飽和領域Ｂ３１０を飽和させる必要がある。従って、Ｏ２端子３０５から電流を流した場合はＯ１端子３０６から電流を流した時に比べ磁気飽和領域Ａ３０４及び磁気飽和領域Ｂ３１０が飽和するのに時間がかかり、モータコイル３０３に流れる電流２０３は図２の吸引パルス電流波形のように、磁気飽和領域Ａ３０４及び磁気飽和領域Ｂ３１０が飽和するまで緩やかに増加し磁気飽和領域Ａ３０４及び磁気飽和領域Ｂ３１０が飽和した瞬間急峻に変化をする。この為、同じ電圧で同じ幅のデータ信号を送信しても反発パルスに比べモータコイル３０３に生じる磁界は弱くなる。以上のようなモータコイルに印可するパルスのことを吸引パルスと呼ぶ。
【０００７】
従って、反発パルスと吸引パルスでは生じる磁界の強さが異なるため外部調整装置で磁界を検出する検出レベルの設定が難しいという問題があった。
【０００８】
又、吸引パルスによりモータコイル３０３に磁界が発生しても外部調整装置で磁界を検出可能にするためにはデータ信号のパルス幅を広くする必要があり、消費電流が増大してしまうという問題があった。
【０００９】
【課題を解決するための手段】
上記課題を解決するため、請求項１記載の発明は、２極以上に磁化されたロータ、前記ロータの外周を包囲しているステータ、前記ステータと結合している電磁コイルからなる電磁変換機と、前記電磁コイルを介して外部に磁界によるデータを送信する送信手段と、を備えた電子機器において、前記電磁コイルを介して外部へ磁界によるデータを送信する際、前記ロータの静止位置における前記ロータに生じる磁界の向きにより、前記電磁コイルに生じる磁界が大きくなる方向にデータ信号を前記電磁コイルに送信する送信手段、を備えることを特徴としている。
【００１０】
請求項２記載の発明は、請求項１記載の電子機器において、前記ロータの静止位置における前記ロータから生じる磁界の向きを認識する極性認識手段と、前記電磁コイルに前記認識手段の認識結果により決定される方向に電流が流れるようにデータ信号を前記電磁コイルに送信する送信手段、を備えることを特徴としている。
【００１１】
請求項３記載の発明は、請求項１記載の電子機器において、前記ロータの静止位置における前記ロータから生じる磁界の向きを、機械的又は電気的に外的操作で確定する極性確定手段と、前記電磁コイルに前記極性確定手段により決定される方向に電流が流れるようにデータ信号を前記電磁コイルに送信する送信手段を備えることを特徴としている。
【００１２】
請求項４記載の発明は、請求項１乃至３のうちいずれかに記載の電子機器において、電磁コイルはモータコイル、電磁変換機はステッピングモータであることを特徴としている。
【００１３】
請求項５記載の発明は、請求項２又は４記載の電子機器において、前記極性認識手段として、前記電磁コイルにそれ以前にどちらの向きにモータ駆動パルスを出力したのかを記憶する極性記憶手段を備え、前記電磁コイルに前記記憶手段により決定される方向に電流が流れるように、データ信号を前記電磁コイルに送信する送信手段、を備えることを特徴としている。
【００１４】
請求項６記載の発明は、請求項３又は４記載の電子機器において、前記極性確定手段として、前記電磁コイルに少なくとも１発以上のモータ駆動信号を所定の方向から印加することにより、前記ロータの静止位置における前記ロータから生じる磁界の向きが一定になるように制御する制御手段を備え、前記電磁コイルに所定の方向に電流が流れるようにデータ信号を前記電磁コイルに送信する送信手段、を備えることを特徴としている。
【００１５】
請求項７記載の発明は、請求項４記載の電子機器において、通常間欠駆動をしているモータ駆動信号が出力していない期間にデータ信号を出力し、直前に出力されたモータ駆動信号の方向で定められた向きに前記電磁コイルに電流が流れるようにデータ信号を送信する送信手段を備えることを特徴としている。
【００１６】
請求項８記載の発明は、請求項１から７まで記載の電子機器において、電子機器はアナログ電子時計であることを特徴としている。
【００１７】
請求項９記載の発明は、２極以上に磁化されたロータ、前記ロータの外周を包囲しているステータ、前記ステータと結合している電磁コイルからなる電磁変換機と、前記電磁コイルを介して外部にデータを送信する送信手段と、を備えた電子機器の制御方法において、前記電磁コイルを介して外部へ磁界によるデータを送信する際、前記ロータの静止位置における前記ロータに生じる磁界の向きにより、前記電磁コイルに所定の方向に電流が流れるようにデータ信号を前記電磁コイルに送信することを特徴としている。
【００１８】
請求項１０記載の発明は、請求項９記載の電子機器の制御方法において、前記ロータの静止位置における前記ロータから生じる磁界の向きを認識する極性認識手段と、前記電磁コイルに前記認識手段の認識結果により決定される方向に電流が流れるようにデータ信号を前記電磁コイルに送信する送信手段、を備えることを特徴としている。
【００１９】
請求項１１記載の発明は、請求項９記載の電子機器の制御方法において、前記ロータの静止位置における前記ロータから生じる磁界の向きを極性確定手段により、機械的又は電気的に外的操作で確定し、前記電磁コイルに前記極性確定手段により決定される方向に電流が流れるようにデータ信号を前記電磁コイルに送信することを特徴としている。
【００２０】
請求項１２記載の発明は、請求項１０記載の電子機器の制御方法において、前記極性認識手段としての極性記憶手段により、前記電磁コイルにそれ以前にどちらの向きにモータ駆動パルスを出力したのかを記憶し、前記電磁コイルに前記記憶手段により決定される方向に電流が流れるように、データ信号を前記電磁コイルに送信することを特徴としている。
【００２１】
請求項１３記載の発明は、請求項１１記載の電子機器の制御方法において、前記極性確定手段としての制御手段により、前記電磁コイルに少なくとも１発以上のモータ駆動信号を所定の方向から印加することにより、前記ロータの静止位置における前記ロータから生じる磁界の向きを一定になるように制御する制御手段を備え、前記電磁コイルに所定の方向に電流が流れるようにデータ信号を前記電磁コイルに送信することを特徴としている。
【００２２】
請求項１４記載の発明は、請求項９記載の電子機器の制御方法において、通常間欠駆動をしているモータ駆動信号が出力していない期間にデータ信号を出力し、直前に出力されたモータ駆動信号の方向で定められた向きに前記電磁コイルに電流が流れるようにデータ信号を送信することを特徴としている。
【００２３】
【発明の実施の形態】
以下、図面を参照して、本発明の実施の形態について説明する。
【００２４】
例としてアナログ電子時計について説明をするが、本発明はこれに限定する趣旨ではなく、データ通信可能な電子機器であれば本発明の適用は可能である。
【００２５】
（１．１）通信システムの概要構成
図１は、本実施形態に係わるデータ伝送システムの概要構成ブロック図である。
【００２６】
この伝送システム１００は、竜頭やボタン等の外部操作部材１０５の操作、又は外部調整装置１０４からの制御信号により、通常モードから検査モードに移行し、電子時計内のデータSTRを出力するモータコイル３０３や前述の外部操作部材１０５を備えたアナログ電子時計１０３と、モータコイル３０３から出力されたデータSTRを受信用コイル１０２を介して受信する外部調整装置１０４とを備えて構成される。
【００２７】
ここで通常モードとは、このアナログ電子時計１０３が現時刻を表示している動作状態をいい、検査モードとは、このアナログ電子時計１０３の検査を行なうための動作状態をいう。
【００２８】
（１．１．１）アナログ電子時計の概要構成
図４は、アナログ電子時計の概要構成ブロック図である。
【００２９】
アナログ電子時計１０３は、水晶振動子の基準発振信号から所定の基準周波数の基準パルス信号を生成する発振回路４０１と、基準パルス信号を分周して周波数が異なる各種パルス信号を生成する分周回路４０２と、分周回路４０２から出力される各種パルス信号及びデータ記憶回路４０８の記憶データに基づいてアナログ電子時計１０３全体の動作を制御するＣＰＵ、メモリ等で構成される制御回路４０６と、制御回路４０６の制御に応じ１秒毎にステッピングモータを駆動する駆動パルス及びデータ送信状態になるとデータ記憶回路４０８により記憶されたデータのデータ信号を発生する駆動パルス発生回路４０３と、駆動パルス及びデータ信号に基づいてモータコイル３０３に駆動電流を流すべき方向を記憶する極性記憶回路４０４と、極性記憶回路４０４により、モータコイル３０３に決められた方向に電流を流す駆動回路４０５と、モータコイルを介して受信したデータをコンパレータ等用いて検出する検出回路４０７と、検出されたデータを記憶するデータ記憶回路４０８とを備えて構成される。
【００３０】
（１．１．２）外部調整装置の概要構成
図５は、外部調整装置の概要構成ブロック図である。
【００３１】
外部調整装置１０４は、水晶振動子の基準発振信号から所定の基準周波数の基準パルス信号を生成する発振回路５０１と、基準パルス信号を分周して周波数が異なる各種パルス信号を生成する分周回路５０２と、分周回路から出力される各種パルス信号に基づいて受信検出タイミング及び、検出信号のシリアル/パラレル変換をするタイミングを生成するＣＰＵ、メモリ等で公正される制御回路５０３と、外部に生じる磁界の受信手段である受信コイル１０２と、受信コイル１０２で受信した磁界を検出する検出回路５０６と、検出回路にて信号が検出されたら分周回路５０２及び制御回路５０３に同期信号を送信する同期回路５０５と、検出回路で検出されたデータをシリアル/パラレル変換するシリアル/パラレル変換回路５０９と、変換されたデータを記憶するデータ記憶回路５０８と、記憶されたデータを表示するデータ表示回路５０７とを備えて構成される。
【００３２】
（１．１．３）ステッピングモータの構成
図３は、ステッピングモータの概要構成図である。モータコイル３０３と、モータコイルによって励磁されるステータ３０２と、ステータの内部において励磁される磁界により回転するロータ３０１とを備えている。なお、このロータは、ディスク状の二極の永久磁石によって構成されたPM型（永久磁石回転型）で構成されている。
【００３３】
ステータ３０２にはモータコイル３０３で発生した磁力によって異なった磁極がロータ３０１の周りのそれぞれの相（極）３０８及び３０９に発生するように磁気飽和部３０４及び３１０が設けられている。また、ロータ３０１の回転方向を規定するために、ステータの内周の適当な位置には内ノッチ３０７が設けられており、コギングトルクを発生させてロータ３０１が適当な位置に停止するようにしている。
【００３４】
（１．２）実施例の動作
次に、アナログ電子時計から外部調整装置間のデータ送信について、図６、図７のフローチャート６００及びタイミングチャート７００を参照しながら説明する。又、以下のステップを進めていくのはアナログ電子時計の制御回路４０６、と外部調整装置の制御回路５０３である。
【００３５】
ここでは、アナログ電子時計に内蔵されている時計の歩度調整データであるEEPROMのデータ確認を行なうため、EEPROMのデータを外部に出力する場合を説明する。
【００３６】
作業者により規定の竜頭の複雑操作（Ｓ１）を行なうと、図７の「竜頭操作」に示された信号が出力されて制御回路４０６はアナログ電子時計の動作モードを通常モードからデータ送信モードに移行する（Ｓ１のＹ）。ここで制御回路４０６により作られる図７のデータ送信モード信号がHiとなる。Ｓ１が行われなければ通常運針を続ける（Ｓ１のＮ）。データ送信モード信号がHiとなり、通常運針モードからデータ送信モードに移行すると、通常運針停止をして（Ｓ２）Ｏ２端子３０５から極性確定パルスPKを印可する（Ｓ３）。仮に運針停止直前にＯ１端子３０６から駆動パルスが出力されたならば、運針停止後のＯ２端子３０５からの極性確定パルスPKでロータ３０１は回転し、ロータ３０１の静的安定位置における反発パルス出力方向が、図７のようにＯ１端子３０６になる（Ｓ４）。運針停止直前にＯ２端子３０５から駆動パルスが出力されたならば、運針停止後のＯ２端子３０５からの極性確定パルスＰＫではロータ３０１は回転せず、ロータ３０１の静的安定位置における反発パルス出力方向が、Ｏ１端子３０６になる。ここで外部調整装置１０４の磁界検出用の検出回路５０６を構成するコンパレータで極性パルスPKを検出すると、外部調整装置１０４の同期回路５０５により外部調整装置１０４とアナログ電子時計１０３との同期を取り、外部調整装置の検出コンパレータは一定の期間検出を止める。アナログ電子時計側はデータ記憶回路４０８であるEEPROMのデータに基づき、制御回路４０６を通じてデータ信号PDを等間隔でデータ１ならば信号を出力、０ならば信号を出力しないように駆動パルス発生回路４０３で作成する（Ｓ５）。作成されたデータ信号PDは、駆動回路４０５によりモータコイル３０３にＯ１端子３０６からデータ信号を送信することにより、データ信号PDは常に反発パルスを出力する。この時、外部調整装置の検出コンパレータは、図７のようにアナログ電子時計からのデータ信号の出力タイミングに合わせてコンパレータをＯＮにしてアナログ電子時計からのデータを読み取る。アナログ電子時計側は、データ出力が終了した後にＯ２端子３０５から消磁パルスＰＥを出力し、モータコイルの消磁を行なう（Ｓ６）。
【００３７】
（１−２）実施形態の効果
以上の説明のように本実施形態によれば、時計から外部調整装置にデータを送信する場合、時計側のデータ信号ＰＤが常に反発パルスで出力されるため、データ信号PDによりモータコイルに生じる磁界の強さのバラツキが小さくなり、外部調整装置での検出が容易になる。又、常に反発パルスを出力しているため、データ信号ＰＤのパルス幅を短くする事ができる。従ってデータ送信時の消費電流の削減が可能となる。更に極性確定パルスＰＫを出力することにより、時計と外部調整装置との間で同期が簡単に取りやすくなり、スムーズなデータ伝送が可能である。
【００３８】
（２）変形例
（２．１）第１変形例
上述の実施形態においては、極性確定手段として受信モードに投入するとＯ２から極性確定パルスPKが出力されたが本発明はこれに限らず、時計内にある極性記憶回路４０４でデータ送信モード投入前のモータパルス出力方向がＯ１から出力されたのか、Ｏ２から出力されたのかを記憶し、この受信モード投入前のモータパルスの出力された方向とは逆向きに反発パルスが出る方向でデータ信号PDを出力しても良い。
【００３９】
（２．２）第２変形例
上述の実施形態においては、データ信号出力期間はモータ駆動パルスの出力を禁止していたが、本発明はこれに限らず、モータ駆動パルス出力を止めずモータ駆動パルス間に反発パルスが出力される方にデータ信号PDを出力しても良い。
【００４０】
（２．３）第３変形例
上述の実施形態においては、アナログ電子時計の駆動用モータコイルを介してデータ信号STRを送信する場合について述べたが、本発明は、磁界発電により用いられる発電用の発電コイルを介して送信してもよい。
【００４１】
（２．４）第４変形例
上述の実施携帯においては、アナログ電子時計に本発明を適用する場合について述べたが、本発明はこれに限らず、多極化されたロータをモータコイルを備えたステータ内で回転駆動可能なステッピングモータを備え、モータコイルを介して外部に磁界によるデータを送信可能な電子機器に広く適用することができる。
例えば、携帯電話、小型情報機器等に適用できる。
【００４２】
【発明の効果】
上述したように本発明によれば、時計側のデータ信号ＰＤが常に反発パルスで出力されるため、データ信号PDによりモータコイルに生じる磁界の強さのバラツキが小さくなり、外部調整装置での検出が容易になる。又、常に反発パルスを出力しているため、データ信号ＰＤのパルス幅を短くする事ができる。従ってデータ送信時の消費電流の削減が可能となる。
【図面の簡単な説明】
【図１】本発明の実施形態に係るデータ伝送システムの概要構成ブロック図。
【図２】前記データ伝送システムにおけるモータコイルに流れる電流波形図。
【図３】前記データ伝送システムにおけるステッピングモータの概要構成図。
【図４】前記データ伝送システムにおけるアナログ電子時計の概要構成ブロック図。
【図５】前記データ伝送システムにおける外部調整装置の概要構成ブロック図。
【図６】前記データ伝送システムの伝送方法の説明に共するフローチャート
【図７】前記データ伝送システムの伝送方法の説明に共するタイミングチャート。
【符号の説明】
１００・・・・・・データ伝送システム
１０２・・・・・・送信コイル
１０３・・・・・・アナログ電子時計
１０４・・・・・・外部調整装置
１０５・・・・・・外部操作部材
２００・・・・・・モータコイルの電流波形
２０１・・・・・・データ信号
２０２・・・・・・反発パルス印加時にモータコイルに流れる電流
２０３・・・・・・吸引パルス印加時にモータコイルに流れる電流
３００・・・・・・ズテッピングモータ
３０１・・・・・・ロータ
３０２・・・・・・ステータ
３０３・・・・・・モータコイル
３０４・・・・・・磁気飽和領域Ａ
３０５・・・・・・ Ｏ２端子
３０６・・・・・・ Ｏ１端子
３０７・・・・・・内ノッチ
３０８・・・・・・相（極）
３０９・・・・・・相（極）
３１０・・・・・・磁気飽和領域Ｂ
４０１・・・・・・発振回路
４０２・・・・・・分周回路
４０３・・・・・・駆動パルス発生回路
４０４・・・・・・極性記憶回路
４０５・・・・・・駆動回路
４０６・・・・・・制御回路
４０７・・・・・・検出回路
４０８・・・・・・データ記憶回路
５０１・・・・・・発振回路
５０２・・・・・・分周回路
５０３・・・・・・制御回路
５０５・・・・・・同期回路
５０６・・・・・・検出回路
５０７・・・・・・データ表示回路
５０８・・・・・・データ記憶回路
５０９・・・・・・シリアル/パラレル変換回路
【図１】
0003807221.tif 000002
【図２】
0003807221.tif 000003
【図３】
0003807221.tif 000004
【図４】
0003807221.tif 000005
【図５】
0003807221.tif 000006
【図６】
0003807221.tif 000007
【図７】
0003807221.tif 000008